(57)【要約】【課題】メンテナンス作業を容易に行うことが可能なコネクタを提供する。【解決手段】互いに嵌合可能な一対のコネクタハウジング１０，４０を有し、そのうち少なくとも一方のコネクタハウジング１０には、端子金具３０が挿入されるキャビティ１３、および同キャビティ１３に挿入された前記端子金具３０に係止してその抜け止めを図るランス１５が設けられるとともに、前記キャビティ１３内に進入して前記端子金具３０を抜け止めする進入位置と前記キャビティ１３から退避して前記端子金具３０の抜け止めを解除する退避位置とに移動可能である端子抜止部７０が挿入可能とされ、他方のコネクタハウジング４０には、前記一対のコネクタハウジング１０，４０の嵌合時に、前記一方のコネクタハウジング１０側に進入して前記ランス１３を係止解除状態に移行させる係止解除部９０Ｆが設けられている。【選択図】図１６
2015149182.tif 000002
【特許請求の範囲】
【請求項１】
互いに嵌合可能な一対のコネクタハウジングを有し、
前記一対のコネクタハウジングのうち少なくとも一方のコネクタハウジングには、端子金具が挿入されるキャビティ、および同キャビティに挿入された前記端子金具に係止してその抜け止めを図るランスが設けられるとともに、前記キャビティ内に進入して前記端子金具を抜け止めする進入位置と前記キャビティから退避して前記端子金具の抜け止めを解除する退避位置とに移動可能である端子抜止部が挿入可能とされ、
他方のコネクタハウジングには、前記一対のコネクタハウジングの嵌合時に、前記一方のコネクタハウジング側に進入して前記ランスを係止解除状態に移行させる係止解除部が設けられているコネクタ。
【請求項２】
前記端子抜止部には、前記一対のコネクタハウジングを嵌合状態にロックするロック部が設けられている請求項１に記載のコネクタ。
【請求項３】
前記キャビティおよび前記ランスは、前記一対のコネクタハウジングの両方に設けられ、
前記端子抜止部は、前記一対のコネクタハウジングのそれぞれに挿入可能とされ、
前記係止解除部は、前記一対のコネクタハウジングのそれぞれに設けられている請求項１または請求項２に記載のコネクタ。
【発明の詳細な説明】
【技術分野】
【０００１】
本発明は、コネクタに関する。
【背景技術】
【０００２】
従来、ハウジングに、端子金具が挿入されるキャビティ、およびキャビティに挿入された端子金具に係止してその抜け止めを図るランスが設けられたコネクタが知られている（例えば下記特許文献１に記載）。このコネクタは、相手側コネクタとの嵌合時には、ロック部により嵌合状態にロックされる。
【先行技術文献】
【特許文献】
【０００３】
【特許文献１】特開２００４−１８５９６４号公報
【発明の概要】
【発明が解決しようとする課題】
【０００４】
ところで、上記のような構成のコネクタにおいては、メンテナンス等のために端子金具を抜き取ろうとすると、まず嵌合状態にロックされたコネクタを離間する必要がある。なぜなら、端子金具を抜き取るためにはランスを係止解除状態に撓ませなければならず、そのためにはハウジングの前方から治具を挿入しなければならないからである。このため、メンテナンス作業の際には、ロック部のロックを解除する工程、コネクタを離間する工程、ハウジングに治具を挿入してランスを係止解除状態にする工程、端子金具を抜き取る工程、を行う必要があり、手間がかかるという問題があった。
【０００５】
本発明は上記のような事情に基づいて完成されたものであって、メンテナンス作業を容易に行うことが可能なコネクタを提供することを目的とする。
【課題を解決するための手段】
【０００６】
本発明のコネクタは、互いに嵌合可能な一対のコネクタハウジングを有し、前記一対のコネクタハウジングのうち少なくとも一方のコネクタハウジングには、端子金具が挿入されるキャビティ、および同キャビティに挿入された前記端子金具に係止してその抜け止めを図るランスが設けられるとともに、前記キャビティ内に進入して前記端子金具を抜け止めする進入位置と前記キャビティから退避して前記端子金具の抜け止めを解除する退避位置とに移動可能である端子抜止部が挿入可能とされ、他方のコネクタハウジングには、前記一対のコネクタハウジングの嵌合時に、前記一方のコネクタハウジング側に進入して前記ランスを係止解除状態に移行させる係止解除部が設けられているものである。
【発明の効果】
【０００７】
本発明によれば、一対のコネクタハウジングを嵌合状態に保持したまま端子抜止部を退避位置に移動させることで端子金具を抜き取ることができるから、メンテナンス作業の際にコネクタを離間する必要がなく、もってメンテナンス作業を容易に行うことができる。
【図面の簡単な説明】
【０００８】
【図１】本実施例におけるコネクタであって、雄側コネクタハウジングと雌側コネクタハウジングとが嵌合する前の状態を示す斜視図
【図２】雄側コネクタハウジングと雌側コネクタハウジングとが嵌合する前の状態を示す断面図
【図３】雄側コネクタハウジングと雌側コネクタハウジングとが嵌合した後であってロック前の状態を示す断面図
【図４】雄側コネクタハウジングと雌側コネクタハウジングとが嵌合した後であってロック後の状態を示す断面図
【図５】進入位置用係止突起が雄側係止受け部に係止した状態を示す断面図であって、図４のＡ−Ａ位置における断面に相当する断面図
【図６】進入位置用係止突起が雌側係止受け部に係止した状態を示す断面図であって、図４のＢ−Ｂ位置における断面に相当する断面図
【図７】コネクタを嵌合状態にロックしたまま端子金具の抜き取りが可能となった状態を示す断面図
【図８】退避位置用係止突起が雄側係止受け部に係止した状態を示す断面図であって、図７のＣ−Ｃ位置における断面に相当する断面図
【図９】退避位置用係止突起が雌側係止受け部に係止した状態を示す断面図であって、図７のＤ−Ｄ位置における断面に相当する断面
【図１０】雄側コネクタハウジングの側面図
【図１１】雄側コネクタハウジングの断面図
【図１２】雄側コネクタハウジングの平面図
【図１３】雄側コネクタハウジングの底面図
【図１４】雄側コネクタハウジングの正面図
【図１５】雄側コネクタハウジングの背面図
【図１６】係止解除部が相手側ランスを係止解除状態に撓ませた様子を示す一部拡大断面図
【発明を実施するための形態】
【０００９】
本発明のコネクタは、前記端子抜止部には、前記一対のコネクタハウジングを嵌合状態にロックするロック部が設けられているものとしてもよい。このような構成によれば、ロック部と端子抜止部とを別々に設ける場合に比して、コネクタの構造を簡素化することができる。
【００１０】
本発明のコネクタは、前記キャビティおよび前記ランスは、前記一対のコネクタハウジングの両方に設けられ、前記端子抜止部は、前記一対のコネクタハウジングのそれぞれに挿入可能とされ、前記係止解除部は、前記一対のコネクタハウジングのそれぞれに設けられているものとしてもよい。このような構成によれば、一対のコネクタハウジングを嵌合状態に保持したまま各端子抜止部を退避位置に移動させることで、各コネクタハウジングから端子金具を抜き取ることができるから、メンテナンス作業の際にコネクタを離間する必要がなく、もってメンテナンス作業を容易に行うことができる。
【００１１】
＜実施例＞
以下、本発明を具体化した一実施例について、図１〜図１６を参照しつつ詳細に説明する。
本実施例におけるコネクタＣは、互いに嵌合可能な雄側コネクタハウジング１０および雌側コネクタハウジング４０（一対のコネクタハウジング）を備えて構成され、両コネクタハウジング１０，４０は、その前面（正面）同士を対向させた状態で接近させることで嵌合される。以下、各構成部材において、両コネクタハウジング１０，４０における嵌合面側をそれぞれ前方とし、また、図１の上側を上方、下側を下方として説明する。
【００１２】
雄側コネクタハウジング（一方のコネクタハウジング）１０は合成樹脂製であって、全体として前後方向に細長い形状をなしている。雄側コネクタハウジング１０の後側部分は、図２に示すように、内部に雄側端子金具３０が保持される端子保持部１１とされ、前側部分は、雌側コネクタハウジング４０が内側に嵌合可能なコネクタ嵌合部１２とされている。
【００１３】
端子保持部１１の内部には、後方から雄側端子金具３０が挿入される雄側キャビティ１３が１室形成されている。雄側キャビティ１３は、後方に開放されるとともに前方が前壁によって塞がれた形態とされている。前壁には、雄側端子金具３０のタブ部３１を前方に挿通可能なタブ挿通孔１４が前後方向に貫通して設けられている。タブ挿通孔１４は、略方形をなしている。
【００１４】
端子保持部１１には、雄側キャビティ１３に挿入された雄側端子金具３０に係止してその抜け止めを図る雄側ランス１５が設けられている。雄側ランス１５は、雄側キャビティ１３の内壁のうち下側の壁に沿うようにして形成されている。雄側ランス１５は、雄側キャビティ１３の前側部分に位置するように設けられている。雄側ランス１５は、前後両端が支持された両持ち状のアーム部１６の上面に、雄側端子金具３０の第１係止部３５に対して係止可能な抜け止め突部１７が突設された形態をなしている。
【００１５】
アーム部１６は、後端部が下壁に連結支持されるとともに、前端部が前壁に連結支持されており、前後の支持部分を支点として上下方向に撓み変形可能とされている。アーム部１６は、変形時には、長さ方向中央部分を最下端とした略弓形となる（図１６参照）。
【００１６】
抜け止め突部１７は、アーム部１６の幅方向略中央に、雄側キャビティ１３内に突出する形態で設けられている。抜け止め突部１７の前面は、雄側端子金具３０に係止する雄端子係止面１８とされている。
【００１７】
アーム部１６のうち抜け止め突部１７よりも前側の部分は、後述する係止解除部９０によって下方（係止解除方向）に押圧される被押圧部１９とされている。被押圧部１９の上面は、係止解除部９０が当接する当接面２１とされ、当接面２１は略半円形状の曲面をなしている（図１４参照）。被押圧部１９の前端には、係止解除部９０を当接面２１側に案内する傾斜をなす解除部案内面２２が形成されている（図１１参照）。
【００１８】
雄側ランス１５の前方には、端子保持部１１の前面（以下、雄側嵌合面２３と称する）に開放された形態をなして、後述する係止解除部９０が前方から挿入される解除部挿入孔２４が設けられている。
【００１９】
コネクタ嵌合部１２は、雄側嵌合面２３の外周縁から角筒状をなして前方へ突出する形態とされている。
雄側端子金具３０は前後方向に細長く成形され、前側から順に、雌側端子金具６０に接続されるタブ部３１、雄側コネクタハウジング１０に係止される係止手段を備えた端子本体部３２、および雄側電線３３に接続される電線接続部３４を備えている（図２参照）。タブ部３１は、雄側端子金具３０が雄側キャビティ１３に収容された状態ではコネクタ嵌合部１２内に突出して配される。
【００２０】
端子本体部３２には、雄側コネクタハウジング１０との係止手段として、雄側ランス１５が係止する第１係止部３５と、後述する雄側端子抜止部７０が係止する第２係止部３６とが設けられている。第１係止部３５は、端子本体部３２の外面に突設された突起である。第２係止部３６は、端子本体部３２の後端面の一部であり、後方から雄側端子抜止部７０が係止可能とされている。
【００２１】
雌側コネクタハウジング４０は合成樹脂製であり、全体として前後方向に細長い箱形状とされ、雄側コネクタハウジング１０のコネクタ嵌合部１２に内嵌可能とされている。
【００２２】
雌側コネクタハウジング４０には、雌側端子金具６０が後方から挿入される雌側キャビティ４１が１室設けられている。雌側キャビティ４１は、後方に開放されるとともに前方が前壁によって塞がれた形態とされている。前壁には、雄側端子金具３０のタブ部３１を前方から雌側キャビティ４１に挿入可能なタブ挿入孔４２が前後方向に貫通して設けられている。タブ挿入孔４２は略方形をなし、その前端側には雌側キャビティ４１にタブ部３１を案内するべく拡開したタブ案内部４３が形成されている。
【００２３】
雌側コネクタハウジング４０には、雌側キャビティ４１に挿入された雌側端子金具６０に係止してその抜け止めを図る雌側ランス４４が設けられている（図２参照）。雌側ランス４４は、雌側キャビティ４１の内壁のうち上側の壁に沿うようにして形成されている。雌側ランス４４は、雌側キャビティ４１の前側部分に位置するように設けられている。雌側ランス４４は、雄側ランス１５とほぼ同様の構成をなし、前後両端が支持された両持ち状のアーム部４５と、雌側端子金具６０の第１係止部６５に対して係止可能な抜け止め突部４６とを備え、抜け止め突部４６の前面は、雌側端子金具６０に係止する雌端子係止面４７とされている。
【００２４】
また、雄側ランス１５と同様、アーム部４５のうち抜け止め突部４６よりも前側の部分は、後述する係止解除部９０によって上方（係止解除方向）に押圧される被押圧部４８とされ、被押圧部４８の下面は、係止解除部９０が当接する当接面４９とされている。被押圧部４８の前端には、雄側ランス１５と同様に、係止解除部９０を当接面４９側に案内する傾斜をなす解除部案内面５１が形成されている。
【００２５】
雌側ランス４４の前方には、雌側コネクタハウジング４０の前面（以下、雌側嵌合面５２と称する）に開放された形態をなして、後述する係止解除部９０が前方から挿入される解除部挿入孔５３が設けられている。
【００２６】
雌側端子金具６０は前後方向に細長く成形され、前側には、雄側端子金具３０のタブ部３１が接続されるタブ接続部６１、後側には、雌側電線６２が接続される電線接続部６３を備えている（図２参照）。タブ接続部６１は、前方からタブ部３１が挿入可能な角筒状をなし、その内部にはタブ部３１に対して弾性的に接触する弾性接触片６４が収容されている。また、タブ接続部６１には、雌側コネクタハウジング４０との係止手段として、雌側ランス４４が係止する第１係止部６５と、後述する雌側端子抜止部８０が係止する第２係止部６６とが設けられている。第１係止部６５は、タブ接続部６１の外面に突設された突起である。第２係止部６６は、タブ接続部６１の後端面の一部であり、後方から雌側端子抜止部８０が係止可能とされている。
【００２７】
コネクタＣには、雄側端子金具３０を抜け止め可能な雄側端子抜止部７０と、雌側端子金具６０を抜け止め可能な雌側端子抜止部８０とが設けられている。雄側端子抜止部７０および雌側端子抜止部８０はいずれも雄側コネクタハウジング１０に一体に設けられている。なお、雄側端子抜止部７０および雌側端子抜止部８０は、ほぼ同形状をなしている。
【００２８】
雄側端子抜止部７０は、全体として、雄側コネクタハウジング１０の下面に対して板面が略直角をなす向きで形成された板状をなしている。雄側端子抜止部７０は、ヒンジ部７１を介して雄側コネクタハウジング１０の下面側に一体形成され、ヒンジ部７１を略支点として、その大部分が雄側コネクタハウジング１０内に収容された状態になる閉鎖位置（図３参照）と、大部分が雄側コネクタハウジング１０の外部下方へ突出した状態になる開放位置（図１０参照）との間で、上下方向に揺動し得るようになっている。
【００２９】
雄側端子抜止部７０は、端子保持部１１に形成された雄側開口部２５を通って閉鎖位置と開放位置との間を揺動する。雄側開口部２５は、端子保持部１１のうち雄側ランス１５よりも後側の部分に形成されている（図３参照）。雄側開口部２５は、雄側コネクタハウジング１０の幅方向の略中央において前後方向に細長い形状に形成され、雄側キャビティ１３と端子保持部１１の外部とを連通している。雄側開口部２５の幅寸法は、雄側端子金具３０の端子本体部３２の幅寸法よりも若干小さくされ、雄側端子金具３０が、雄側開口部２５側に変位することを防止している（図８参照）。
【００３０】
雄側開口部２５の両側には、一対の側壁部２５Ｓが設けられている（図１１参照）。一対の側壁部２５Ｓは、雄側開口部２５の全長にわたり連続して設けられた壁状をなしている。一対の側壁部２５Ｓの内側（対向する側）には、後述する雄側端子抜止部７０に設けられた雄側係止突起７３が係止可能な雄側係止受け部２６が突設されている（図１４参照）。
【００３１】
雄側係止受け部２６は、各側壁部２５Ｓの下端縁に沿って設けられている。雄側係止受け部２６の下面側は、雄側端子抜止部７０に設けられた雄側係止突起７３を上側にスムーズに誘い込むべく傾斜する誘導面２６Ｙとされ、上面側は雄側係止突起７３が係止する係止受け面２６Ｕとされている。係止受け面２６Ｕは、上下方向に対して略垂直な水平面とされている。
【００３２】
雄側端子抜止部７０は、雄側コネクタハウジング１０に対して、雄側キャビティ１３内に進入し雄側端子金具３０を抜け止めする進入位置（図３参照）と、雄側キャビティ１３から退避して雄側端子金具３０の抜け止めを解除する退避位置（図７参照）とに段階的に保持可能とされている。なお、雄側端子抜止部７０の進入位置は閉鎖位置と同じ位置である。
【００３３】
雄側端子抜止部７０は、自然状態（力を加えていない状態）では開放位置に配され、雄側端子抜止部７０に上向きの力を加えることで、開放位置から退避位置、退避位置から進入位置（閉鎖位置）に弾性変位するものとされている。
雄側端子抜止部７０には、雄側コネクタハウジング１０の係止受け面２６Ｕに係止して雄側端子抜止部７０を進入位置に保持する進入位置用係止突起７３Ｓと、雄側コネクタハウジング１０の係止受け面２６Ｕに係止して雄側端子抜止部７０を退避位置に保持する退避位置用係止突起７３Ｔとがそれぞれ設けられている。
【００３４】
進入位置用係止突起７３Ｓおよび退避位置用係止突起７３Ｔは、雄側端子抜止部７０の両側面（両板面）に設けられている。いずれの雄側係止突起７３Ｓ，７３Ｔも、その上面側は雄側係止受け部２６を容易に乗り越えるべく傾斜する傾斜面７４、下面側は、雄側係止受け部２６の係止受け面２６Ｕに係止する係止面７５とされている（図８参照）。
【００３５】
雄側端子抜止部７０が進入位置に押し込まれたときには、図５に示すように、進入位置用係止突起７３Ｓの係止面７５が雄側係止受け部２６の係止受け面２６Ｕに対して下向きに作用する弾性復元力により弾性的に当接し、雄側コネクタハウジング１０に対して進入位置に組み付けられた状態に保持される。また、雄側端子抜止部７０が退避位置に引き下げられたときには、図８に示すように、退避位置用係止突起７３Ｔの係止面７５が雄側係止受け部２６の係止受け面２６Ｕに対して下向きに作用する弾性復元力により弾性的に当接し、雄側コネクタハウジング１０に対して退避位置に組み付けられた状態に保持される。
【００３６】
雄側端子抜止部７０は、図４に示すように、進入位置に保持された状態で、雄側端子金具３０の第２係止部３６の後側に位置して雄側端子金具３０の抜け止めをする抜止面７６を備えている。抜止面７６は、雄側端子抜止部７０が進入位置に保持されているときには、前後方向（雄側端子金具３０の挿抜方向）に対して垂直をなしている。また、抜止面７６は、図７に示すように、雄側端子抜止部７０が退避位置に保持された状態では、雄側キャビティ１３から下側へ退避して雄側端子金具３０の第２係止部３６よりも下方（雄側ランス１５および端子保持部１１の下壁と同等の高さ位置）に配される。
【００３７】
雄側端子抜止部７０の前端部（ヒンジ部７１とは反対側の端部）には、雄側端子抜止部７０を進入位置から退避位置へ、また退避位置から開放位置へ揺動させる際に、指を引っ掛けることが可能な雄側指掛け部７２が設けられている。雄側指掛け部７２は、前方に向かって下がる（雄側コネクタハウジング１０の下面から離れる）傾斜をなす面である。
【００３８】
雌側端子抜止部８０は、雄側端子抜止部７０と同様、全体として、雄側コネクタハウジング１０の上面に対して板面が略直角をなす向きで形成された板状をなしている。雌側端子抜止部８０は、雄側端子抜止部７０と同様、ヒンジ部８１を介して雄側コネクタハウジング１０の上面側に一体形成され、ヒンジ部８１を略支点として、その大部分が雄側コネクタハウジング１０のコネクタ嵌合部１２に収容された状態になる閉鎖位置（図４参照）と、大部分が雄側コネクタハウジング１０の外部上方へ突出した状態になる開放位置（図１１参照）との間で、上下方向に揺動し得るようになっている。
【００３９】
雌側端子抜止部８０は、コネクタＣの嵌合状態では、コネクタ嵌合部１２に形成された雌側開口部２７、および雌側コネクタハウジング４０に形成された切欠部５４を通って閉鎖位置と開放位置との間を揺動する。
【００４０】
雌側開口部２７は、コネクタ嵌合部１２の前側部分に形成されている。雌側開口部２７は、雄側コネクタハウジング１０の幅方向の中央において前後方向に細長い形状に形成され、コネクタ嵌合部１２の内部と外部とを連通している。
【００４１】
雌側開口部２７の両側には、一対の側壁部２７Ｓが設けられている。一対の側壁部２７Ｓは、雌側開口部２７の全長にわたり連続して設けられた壁状をなしている。一対の側壁部２７Ｓの内側（対向する側）には、雌側端子抜止部８０に設けられた雌側係止突起８３が係止可能な雌側係止受け部２８が突設されている（図９参照）。雌側係止受け部２８は、各側壁部２７Ｓの上端縁に沿って設けられている。雌側係止受け部２８の上面側は、雌側端子抜止部８０に設けられた雌側係止突起８３を下側にスムーズに誘い込むべく傾斜する誘導面２８Ｙとされ、下面側は雌側係止突起８３が係止する係止受け面２８Ｕとされている。係止受け面２８Ｕは、上下方向に対して略垂直な水平面とされている。
【００４２】
切欠部５４は、雌側コネクタハウジング４０のうち雌側ランス４４よりも後側の部分に形成されている（図２参照）。切欠部５４は、雌側コネクタハウジング４０の幅方向の中央において前後方向に細長い形状に形成され、雌側コネクタハウジング４０の外部と雌側キャビティ４１とを連通している。切欠部５４は、雌側コネクタハウジング４０の後端面および上面に開口している。切欠部５４のうち下側（雌側キャビティ４１側）の部分は、図６に示すように、雌側開口部２７よりも幅寸法が小さくされている。切欠部５４の下側部分の幅寸法は、雌側端子抜止部８０のうち後述する雌側係止突起８３を除いた部分の幅寸法（板厚寸法）と同等とされている。切欠部５４の下側部分の幅寸法は雌側端子金具６０の幅寸法よりも小さく、雌側端子金具６０が、切欠部５４側に変位することを防止している。なお、切欠部５４の上側部分は、上方に向かって拡開する形状とされ、上端においては雌側開口部２７の幅寸法と同等の幅寸法を有している。
【００４３】
雌側端子抜止部８０は、雄側コネクタハウジング１０に嵌合された雌側コネクタハウジング４０に対し、雌側キャビティ４１内に進入して雌側端子金具６０を抜け止めする進入位置（図４参照）と、雌側キャビティ４１から退避して雌側端子金具６０の抜け止めを解除するとともに雌側コネクタハウジング４０のロック受け面（後面）５５に係止して雌側コネクタハウジング４０を嵌合状態にロックする退避位置（図７参照）とに段階的に保持可能とされている。なお、雌側端子抜止部８０の進入位置は閉鎖位置と同じ位置である。
【００４４】
雌側端子抜止部８０は、自然状態（力を加えていない状態）では開放位置に配され、雌側端子抜止部８０に下向きの力を加えることで、開放位置から退避位置、退避位置から進入位置（閉鎖位置）に弾性変位するものとされている。
【００４５】
雌側端子抜止部８０には、雄側コネクタハウジング１０の係止受け面２８Ｕに係止して雌側端子抜止部８０を進入位置に保持する進入位置用係止突起８３Ｓと、雄側コネクタハウジング１０の係止受け面２８Ｕに係止して雌側端子抜止部８０を退避位置に保持する退避位置用係止突起８３Ｔとがそれぞれ設けられている。
【００４６】
進入位置用係止突起８３Ｓおよび退避位置用係止突起８３Ｔは、雌側端子抜止部８０の両側面（両板面）に設けられている。いずれの雌側係止突起８３Ｓ，８３Ｔも、その下面側は雌側係止受け部２８を容易に乗り越えるために傾斜する傾斜面８４、上面側は、雌側係止受け部２８の係止受け面２８Ｕと係止する係止面８５とされている（図９参照）。また、いずれの雌側係止突起８３Ｓ，８３Ｔも、雄側端子抜止部７０に設けられた雄側係止突起７３に比して突出高さが大きくされている。なお、必ずしも雌側係止突起８３Ｓ，８３Ｔは雄側係止突起７３に比して突出高さが大きくなくてもよく、例えば雌側係止突起８３Ｓ，８３Ｔは雄側係止突起７３と同等の突出高さを有するものとしてもよい。
【００４７】
雌側端子抜止部８０が進入位置に配されたときには、図６に示すように、進入位置用係止突起８３Ｓの係止面８５が雌側係止受け部２８の係止受け面２８Ｕに対して上向きに作用する弾性復元力により弾性的に当接し、雌側コネクタハウジング４０に対して進入位置に組み付けられた状態に保持される。また、雌側端子抜止部８０が退避位置に配されたときには、図９に示すように、退避位置用係止突起８３Ｔの係止面８５が雌側係止受け部２８の係止受け面２８Ｕに対して上向きに作用する弾性復元力により弾性的に当接し、雌側コネクタハウジング４０に対して退避位置に組み付けられた状態に保持される。
【００４８】
雌側端子抜止部８０の後端部（ヒンジ部８１とは反対側の端部）には、雌側端子抜止部８０を進入位置から退避位置へ、また退避位置から開放位置へ揺動させる際に、指を引っ掛けることが可能な雌側指掛け部８２が設けられている（図７参照）。雌側指掛け部８２は、後方に向かって上がる（雄側コネクタハウジング１０の上面から離れる）傾斜をなす傾斜面である。
【００４９】
なお、雄側係止受け部２６と雄側係止突起７３との係止、および雌側係止受け部２８と雌側係止突起８３との係止はいずれもセミロック構造であるから、各係止受け部２６Ａ，２８Ａと各係止突起７３，８３との係止力を上回る力を雄側端子抜止部７０または雌側端子抜止部８０に付与することで、係止状態を解除することができる。
【００５０】
雌側端子抜止部８０は、雄雌両コネクタハウジング１０，４０を嵌合状態にロックするためのロック機能と、雌側コネクタハウジング４０内に挿入された雌側端子金具６０を抜止めするための抜止め機能とを兼ね備えている。
【００５１】
雌側端子抜止部８０は、図４に示すように、進入位置に保持された状態で、雌側端子金具６０の第２係止部６６および雌側コネクタハウジング４０の切欠部５４の後面（ロック受け面５５）の後側に配され、雌側端子金具６０の抜け出し、および雌側コネクタハウジング４０の離脱を防ぐ抜止面（ロック部）８６を備えている。抜止面８６は、雌側端子抜止部８０が進入位置にあるときには、前後方向（雄側端子金具３０の挿抜方向および雌側コネクタハウジング４０の離脱方向）に対して略垂直をなしている。
【００５２】
抜止面８６は、図７に示すように、雌側端子抜止部８０が退避位置に保持された状態では、雌側キャビティ４１から上側へ退避して雌側端子金具６０の第２係止部６６よりも上方に至り、ロック受け面５５のみの後側に配される。これにより、雌側端子金具６０の抜き取りが可能になるとともに両コネクタハウジング１０，４０は嵌合状態にロックされたままの状態になる。
【００５３】
さて、雄側コネクタハウジング１０および雌側コネクタハウジング４０には、両コネクタハウジング１０，４０の嵌合時に、相手側に進入して相手側のランス１５、４４を強制的に係止解除状態に移行させる係止解除部９０が設けられている。なお、以下では、係止解除部９０のうち雄側コネクタハウジング１０に設けられたものを雄側係止解除部９０Ｍ、雌側コネクタハウジング４０に設けられたものを雌側係止解除部９０Ｆと称する。
【００５４】
雄雌係止解除部９０Ｍ，９０Ｆは、それぞれ雄側嵌合面２３および雌側嵌合面５２から片持ち状をなして前方に突出している。雄雌係止解除部９０Ｍ，９０Ｆは、雄側嵌合面２３および雌側嵌合面５２に対して略垂直をなしている。雄雌係止解除部９０Ｍ，９０Ｆはいずれも、前後方向に細長い（幅寸法よりも前後方向の寸法が大きい）棒状であるとともに薄い（幅寸法よりも上下方向の寸法が小さい）板状に形成されている。雄雌係止解除部９０Ｍ，９０Ｆは、上下方向に弾性変形可能とされている。
【００５５】
雄側係止解除部９０Ｍは、雌側コネクタハウジング４０の解除部挿入孔５３に対応する位置に設けられ、雌側係止解除部９０Ｆは、雄側コネクタハウジング１０の解除部挿入孔２４に対応する位置に設けられている。雄側係止解除部９０Ｍは、タブ挿通孔１４の上側に設けられ、雌側係止解除部９０Ｆは、タブ挿入孔４２の下側に設けられている。
【００５６】
雄雌係止解除部９０Ｍ，９０Ｆのうち雄側ランス１５または雌側ランス４４との接触面９１（雄側係止解除部９０Ｍにおいては上面、雌側係止解除部９０Ｆにおいては下面）は雄側ランス１５または雌側ランス４４の当接面２１，４９に沿う曲面形状とされている（図１および図４参照）。なお、各係止解除部９０Ｍ，９０Ｆの接触面９１の先端部には、テーパ部９２が形成されている。
【００５７】
また、各係止解除部９０Ｍ，９０Ｆのうち接触面９１とは反対側の面は全体にわたって平坦な面とされ、その先端部には、相手側のランス１５、４４と相手側の端子金具３０，６０との間に各係止解除部９０Ｍ，９０Ｆの先端部がスムーズに差し込まれるべく傾斜した差込案内面９３が形成されている。
【００５８】
次に、コネクタＣの嵌合作業の一例について説明する。
まず、雄側コネクタハウジング１０に雄側端子金具３０を、雌側コネクタハウジング４０に雌側端子金具６０をそれぞれ挿入して保持させる。
図７に示すように、雄側端子抜止部７０を退避位置に保持した状態で、雄側キャビティ１３に雄側端子金具３０を挿入する。雄側端子金具３０が正規の位置に挿入されると、雄側端子金具３０の第１係止部３５に雄側ランス１５が係止して抜け止め状態に保持される。次いで、図２に示すように、雄側端子抜止部７０を進入位置に押し込むと、雄側端子抜止部７０の抜止面７６が雄側端子金具３０の第２係止部３６に係止し、雄側端子抜止部７０は二重に抜け止めされた状態になる。なお、雄側端子金具３０を雄側キャビティ１３に挿入する際には、雄側端子抜止部７０を開放位置にしておいてもよい。
【００５９】
また、雌側コネクタハウジング４０の雌側キャビティ４１に雌側端子金具６０を挿入する。雌側端子金具６０が正規の位置に挿入されると、図２に示すように、雌側端子金具６０の第１係止部６５に雌側ランス４４が係止して抜け止め状態に保持される。このとき、雌側端子金具６０の第２係止部６６は、雌側コネクタハウジング４０のロック受け面５５と前後方向の位置がほぼ同じ位置に配置される。つまり、ロック受け面５５と第２係止部６６とが、上下にほぼ面一状に並ぶように配置される。
【００６０】
次に、雄側コネクタハウジング１０と雌側コネクタハウジング４０とを嵌合する。図２に示すように、雌側端子抜止部８０を開放位置に配した状態で、コネクタ嵌合部１２内に雌側コネクタハウジング４０を嵌入する。すると、雌側コネクタハウジング４０は、雌側端子抜止部８０と干渉することなく、雄側コネクタハウジング１０に対して前進し、やがて、雄側端子金具３０のタブ部３１が雌側端子金具６０のタブ接続部６１内への進入を開始する。その後、両コネクタハウジング１０，４０の嵌合面２３，５２にそれぞれ設けられた雄雌係止解除部９０Ｍ，９０Ｆが相手側の解除部挿入孔２４，５３への挿入を開始し、先端に設けられたテーパ部９２が相手側ランス１５，４４の解除部案内面２２，５１に接触し、また先端に設けられた差込案内面９３が相手側端子金具３０，６０に接触することで、相手側ランス１５，４４と相手側端子金具３０，６０との間にスムーズに案内される。そして、雄雌係止解除部９０Ｍ，９０Ｆは、相手側端子金具３０，６０の第２係止部３６，６６に沿って斜めに変形しながら、相手側ランス１５，４４の当接面２１，４９を係止解除方向に押圧し、相手側ランス１５，４４を強制的に係止解除方向に変位させる。両コネクタハウジング１０，４０が正規の嵌合状態に至ると、図１６に示すように、係止解除部９０Ｍ，９０Ｆによって、雄雌ランス１５，４４と雄雌端子金具３０，６０とが完全に係止解除された状態になる。このとき、雄側端子金具３０のタブ部３１は雌側端子金具６０のタブ接続部６１内に進入して弾性接触片６４と接触し、両端子金具３０，６０が電気的に接続した状態になる。また、図３に示すように、雌側コネクタハウジング４０の切欠部５４とコネクタ嵌合部１２の雌側開口部２７とが、上下方向に連通する位置に配される。
【００６１】
次いで、雌側端子抜止部８０を開放位置から進入位置へ揺動させる。雌側端子抜止部８０を下方に押し込むと、図４に示すように、雌側端子抜止部８０の抜止面８６が、雌側開口部２７および切欠部５４に突入して、雌側キャビティ４１内に突出する。そして、抜止面８６は、雌側コネクタハウジング４０のロック受け面５５および雌側端子金具６０の第２係止部６６の後方に接近して対向した状態になる。これにより、両コネクタハウジング１０，４０は正規の嵌合状態にロックされ、また雌側端子金具６０は抜け止めされた状態になる。
以上により、両コネクタハウジング１０，４０の嵌合作業が完了する。
【００６２】
次に、コネクタＣのメンテナンス作業における雄側端子金具３０および雌側端子金具６０の抜き取り作業の一例を説明する。
雄側端子金具３０を抜き取る場合には、雄側端子抜止部７０を進入位置から退避位置に揺動させる。雄側指掛け部７２に指を引っ掛けて下向きの力を加えると、進入位置用係止突起７３Ｓが雄側係止受け部２６から外れ、雄側端子抜止部７０は弾性復元力によって揺動し退避位置に至る。すると、退避位置用係止突起７３Ｔが雄側係止受け部２６に係止し、雄側端子抜止部７０は退避位置に保持される（図７参照）。これにより、雄側端子抜止部７０による雄側端子金具３０の抜け止め状態は解除されるので、雄側端子金具３０を抜き取ることができる。
【００６３】
また、雌側端子金具６０を抜き取る場合には、雌側端子抜止部８０を進入位置から退避位置に揺動させる。雌側指掛け部８２に指を引っ掛けて上向きの力を加えると、進入位置用係止突起８３Ｓが雌側係止受け部２８から外れ、雌側端子抜止部８０は弾性復元力によって揺動し退避位置に至る。すると、退避位置用係止突起８３Ｔが雌側係止受け部２８に係止し、雌側端子抜止部８０は退避位置に保持される。これにより、雌側端子抜止部８０による雄側端子金具３０の抜け止め状態が解除されるので、雌側端子金具６０を抜き取ることができる。このとき、雌側端子抜止部８０の抜止面８６によって両コネクタハウジング１０，４０は嵌合状態にロックされている。
【００６４】
以上のように、雄側端子抜止部７０および雌側端子抜止部８０の各指掛け部７２，８２に指を引っ掛けて、下向きまたは上向きの力を作用させるだけの簡単な動作で、両端子金具３０，６０の抜き取りが可能となるから、両端子金具３０，６０の抜き取り作業を容易に行うことができる。
【００６５】
次に、上記のように構成された本実施例の作用および効果について説明する。
本実施例のコネクタＣは、互いに嵌合可能な雄側コネクタハウジング１０と雌側コネクタハウジング４０とを有し、両コネクタハウジング１０，４０には、それぞれ雄側端子金具３０または雌側端子金具６０が挿入される雄側キャビティ１３または雌側キャビティ４１が設けられている。また、両コネクタハウジング１０，４０には、それぞれ雄側キャビティ１３または雌側キャビティ４１に挿入された雄側端子金具３０または雌側端子金具６０に係止してその抜け止めを図る雄側ランス１５または雌側ランス４４が設けられている。そして、両コネクタハウジング１０，４０には、雄側キャビティ１３または雌側キャビティ４１内に進入して雄側端子金具３０または雌側端子金具６０を抜け止めする進入位置と、雄側キャビティ１３または雌側キャビティ４１から退避して雄側端子金具３０または雌側端子金具６０の抜け止めを解除する退避位置とに移動可能である雄側端子抜止部７０または雌側端子抜止部８０が挿入可能とされている。また、両コネクタハウジング１０，４０には、両コネクタハウジング１０，４０の嵌合時に、相手側に進入して相手側ランス１５，４４をそれぞれ係止解除状態に移行させる係止解除部９０Ｍ，９０Ｆがそれぞれ設けられている。
【００６６】
この構成によれば、両コネクタハウジング１０，４０を嵌合状態に保持したまま、雄側端子抜止部７０および雌側端子抜止部８０を退避位置に移動させることで雄側端子金具３０および雌側端子金具６０を抜き取ることができるから、メンテナンス作業の際に、コネクタＣを離間する必要がなく、もってメンテナンス作業を容易に行うことができる。
【００６７】
また、雌側端子抜止部８０には、両コネクタハウジング１０，４０を嵌合状態にロックするロック部が設けられている。この構成によれば、ロック部と端子抜止部とを別々に設ける場合に比して、コネクタＣの構造を簡素化することができる。
【００６８】
＜他の実施形態＞
本発明は上記記述及び図面によって説明した実施形態に限定されるものではなく、例えば次のような実施形態も本発明の技術的範囲に含まれる。
（１）上記実施例では、本発明を、両コネクタハウジング１０，４０のいずれにもキャビティ１３，４１およびランス１５，４４が設けられた形態のコネクタＣに適用した場合について説明したが、本発明は、いずれか一方のコネクタハウジングのみにキャビティおよびランスが設けられた形態のコネクタであっても適用することができ、そのような場合には、他方のコネクタハウジングは、例えば端子金具がコネクタハウジングに圧入等により保持された形態のものであってもよい。
（２）上記実施例では、雄側コネクタハウジング１０および雌側コネクタハウジング４０のいずれにも係止解除部９０が設けられているが、これに限らず、一対のコネクタハウジングの一方のみに係止解除部を設けるものとしてもよい。
（３）上記実施例では、雄側端子抜止部７０および雌側端子抜止部８０がいずれも雄側コネクタハウジング１０に一体に設けられているが、これに限らず、例えば、雄側端子抜止部は雄側コネクタハウジングに、雌側端子抜止部は雌側コネクタハウジングにそれぞれ一体に設けられたものとしてもよい。
（４）上記実施例では、雄側端子抜止部７０および雌側端子抜止部８０がいずれも雄側コネクタハウジング１０に一体に設けられているが、これに限らず、例えば雄側端子抜止部および雌側端子抜止部は、ともに雄側コネクタハウジングおよび雌側コネクタハウジングとは別体であってもよい。
（５）上記実施例では、雄側端子抜止部７０および雌側端子抜止部８０は、それぞれヒンジ部７１，８１を支点として揺動するものとされているが、これに限らず、例えば雄側端子抜止部および雌側端子抜止部は、スライド移動するものであってもよい。
（６）上記実施例では、雌側端子抜止部８０がロック機能を備えているが、これに限らず、雄側端子抜止部がロック機能を備えるものとしてもよい。
（７）上記実施例では、雌側端子抜止部８０がロック機能を備えているが、これに限らず、雄側端子抜止部および雌側端子抜止部とは別に、ロック機構を設けるものとしてもよい。
（８）上記実施例では、極数（雄側端子金具と雌側端子金具とによる導電路の数）が１極である場合について説明したが、本発明は、極数が複数極である場合にも適用することができる。
【符号の説明】
【００６９】
Ｃ…コネクタ
１０…雄側コネクタハウジング（一方のコネクタハウジング）
１３…雄側キャビティ
１５…雄側ランス
３０…雄側端子金具
４０…雌側コネクタハウジング（他方のコネクタハウジング）
４１…雌側キャビティ
４４…雌側ランス
６０…雌側端子金具
７０…雄側端子抜止部
８０…雌側端子抜止部
８６…抜止面（ロック部）
９０Ｆ…雌側係止解除部
９０Ｍ…雄側係止解除部
【図１】
2015149182.tif 000003
【図２】
2015149182.tif 000004
【図３】
2015149182.tif 000005
【図４】
2015149182.tif 000006
【図５】
2015149182.tif 000007
【図６】
2015149182.tif 000008
【図７】
2015149182.tif 000009
【図８】
2015149182.tif 000010
【図９】
2015149182.tif 000011
【図１０】
2015149182.tif 000012
【図１１】
2015149182.tif 000013
【図１２】
2015149182.tif 000014
【図１３】
2015149182.tif 000015
【図１４】
2015149182.tif 000016
【図１５】
2015149182.tif 000017
【図１６】
2015149182.tif 000018